(57)【要約】【課題】  ＩＣカードをＩＣカードリーダライタに挿入してセットし、使用者自身が設定した時間に警報音を発生できるようにして、ＩＣカードの抜き取り忘れを防止できるＩＣカードリーダライタを提供する。【解決手段】  ＩＣカード挿入部から挿入されたＩＣカードが、ＩＣカード搬送手段により搬送されてＩＣカードの接続端子部と接続状態となり、ＩＣカードに対してデータのリードライトを行えるようにセットされるＩＣカードリーダライタにおいて、前記ＩＣカード搬送手段で搬送されてきた前記ＩＣカードを検知するセンサと、警告音を発生するスピーカと、前記センサにより前記ＩＣカードの存在を検知した時点から時間経過をカウントし、予め使用者が設定した設定時間に達したか否かを確認するタイマと、タイマで前記使用者が設定した設定時間に達した際に、スピーカから警告音を発生させるように制御する手段とを備えたことを特徴とする。【選択図】        図２
2005284615.tif 000002
【特許請求の範囲】
【請求項１】
ＩＣカード挿入部から挿入されたＩＣカードが、ＩＣカード搬送手段により搬送されて前記ＩＣカードの接続端子部と接続状態となり、前記ＩＣカードに対してデータのリードライトを行えるようにセットされるＩＣカードリーダライタにおいて、
前記ＩＣカード搬送手段で搬送されてきた前記ＩＣカードを検知するセンサと、
警告音を発生するスピーカと、
前記センサにより前記ＩＣカードの存在を検知した時点から時間経過をカウントし、予め使用者が設定した設定時間に達したか否かを確認するタイマと、
前記タイマで前記使用者が設定した設定時間に達した際に、前記スピーカから警告音を発生させるように制御する手段と、
を備えたことを特徴とするＩＣカードリーダライタ。
【発明の詳細な説明】
【技術分野】
【０００１】
本発明は、ＩＣカード挿入部から挿入されたＩＣカードに対し、データのリードライトを行えるようにセットされるＩＣカードリーダライタであって、特にＩＣカードリーダライタにセットされたＩＣカードを、使用者が抜き取り忘れることを防止したＩＣカードリーダライタに関する。
【背景技術】
【０００２】
従来、ＩＣカードリーダライタは、ＩＣカードを差し込んで挿入するためのＩＣカード挿入口が設けられ、ＩＣカードを用いた処理を行う際に、利用者がＩＣカードをＩＣカード挿入口から差し込んで、ＩＣカードリーダライタによるＩＣカードとの読み取りや書き込みを行える状態にセットし、更にＩＣカードによる各種の処理が終了した後に、ＩＣカード挿入口からＩＣカードを抜き取るようにして使用される。
【０００３】
通常、ＩＣカードリーダライタ内にセットされたＩＣカードは、第三者であってもＩＣカード挿入口からＩＣカードが抜き取れる状態になっているために、ＩＣカードの正当な使用者以外の第三者でも簡単にＩＣカードリーダライタ内からＩＣカードを抜き取れるため、何時でも不正に第三者によってＩＣカードが抜き取られて盗まれる危険性があるという問題がある。
【０００４】
例えば、パソコン等の通信端末を用いた通信システムなどにおいて、システム処理を行う前段階でＩＣカードによる本人認証を伴う場合には、高いセキュリティ性が要求されるシステムが多い。
しかしながら、たとえ高いセキュリティ性を有していても、ＩＣカードリーダライタにＩＣカードがセットされた状態において、ソフトウェアが起動中に、ＩＣカードをＩＣカードリーダライタから抜き取らずに、長時間の離席をしたり、また、ＩＣカードをＩＣカードリーダライタから抜き取ることを忘れて、外出や帰宅などをしてしまった場合には、ＩＣカードリーダライタにセットされたＩＣカードを利用して、第三者が勝手にパソコンによる操作を行い、不正な通信処理が行われてしまう危険性があったり、更にＩＣカードが抜き取られ、盗まれてしまうことも考えられるという問題がある。
【０００５】
従来の技術として、カードリーダライタにおいて、カード挿入口から引き取られないカードがあった場合に、そのカードをカードリーダライタ内で回収して、ブザーを鳴らすなどして知らせる技術が公知となっている。（例えば、特許文献１参照）
しかしながら、この公知技術は、取り忘れたカードを回収して、シャッター手段でカード搬送路を閉塞し、カードを回収したことを知らせるためにブザーを鳴らすなどして知らせる機能を有していることからも、ＡＴＭなどの装置に内蔵されて例えばキャッシュカードなどによる特定の処理を行うためのカードリーダライタであって、パソコンなどに接続して用いるＩＣカードリーダライタとは異なるものである。
【特許文献１】特開平１１−３９４３４号公報
【０００６】
したがって、従来、上記の問題を解決するために、ＩＣカードリーダライタにセットされたＩＣカードの抜き取り忘れを防止するために、使用者自身がブザーなどの警報音を発生させる時間を設定するという技術はなかった。
【発明の開示】
【発明が解決しようとする課題】
【０００７】
本発明は、ＩＣカードをＩＣカードリーダライタのカード挿入口から挿入してセットしてから、使用者自身が設定した時間にブザーなどの警報音を発生できるようにすることで、使用者が、ＩＣカードリーダライタからのＩＣカードの抜き取り忘れを防止することができるＩＣカードリーダライタを提供する。
【課題を解決するための手段】
【０００８】
本発明のＩＣカードリーダライタは、ＩＣカード挿入部から挿入されたＩＣカードが、ＩＣカード搬送手段により搬送されて前記ＩＣカードの接続端子部と接続状態となり、前記ＩＣカードに対してデータのリードライトを行えるようにセットされるＩＣカードリーダライタにおいて、前記ＩＣカード搬送手段で搬送されてきた前記ＩＣカードを検知するセンサと、警告音を発生するスピーカと、前記センサにより前記ＩＣカードの存在を検知した時点から時間経過をカウントし、予め使用者が設定した設定時間に達したか否かを確認するタイマと、前記タイマで前記使用者が設定した設定時間に達した際に、前記スピーカから警告音を発生させるように制御する手段と、を備えたことを特徴とする。
【発明の効果】
【０００９】
本発明によれば、ＩＣカードリーダライタの使用者が設定した時間で警報音を鳴らせることができるので、ＩＣカードリーダライタからのＩＣカードの抜き取り忘れを防止することができるという効果がある。
【発明を実施するための最良の形態】
【００１０】
以下、本発明の実施の形態を図面に基づいて詳細に説明する。
図１は、本発明の実施形態に係るＩＣカードリーダライタと外部装置の外観図、図２は、本発明の実施形態に係るＩＣカードリーダライタのシステムブロック図、図３は、本発明の実施形態に係るＩＣカードリーダライタの処理手順を示すフローチャートである。
【００１１】
図１に示すように、本発明の実施形態におけるＩＣカードリーダライタ１は、例えば接続コード３でパソコンなどの外部装置２と接続され、ＩＣカードリーダライタ１に設けられたＩＣカード挿入口４から挿入されたＩＣカード５に記憶されたデータを読み取ったり、またＩＣカード５へのデータの書き込み処理を行えるようにして構成されている。
また、ＩＣカードリーダライタ１には、使用者が操作することができるタイマ６が設けられ、更にブザーなどの警報音を発生させるスピーカ７が設けられている。
【００１２】
ＩＣカードリーダライタ１に設けられたタイマ６は、使用者が指で摘んで回すことで自由に警報音が鳴る設定時間を任意に定めることができるようにしてある。
このタイマ６による設定時間とは、ＩＣカードリーダライタ１のＩＣカード挿入口４からＩＣカード５を挿入して、ＩＣカード５に対するデータ読み取りや書き込みが可能な状態にセットされた時点からの経過時間を設定するためのもので、その経過時間に達した際にスピーカから警告音が発生するようにしてある。
【００１３】
例えば、現在の時刻から退社時刻までに３時間３０分あり、今からＩＣカードリーダライタ１でＩＣカードによる処理をする場合において、退社の際にＩＣカード５の抜き取り忘れを防止したい場合には、ＩＣカードリーダライタ１のＩＣカード挿入口４からＩＣカード５を挿入してセットした時点から、タイマの摘みを回して３：３０の位置に合わせて設定すれば、現在から３時間３０分後にスピーカから警報音が鳴り、その使用者は、ＩＣカードリーダライタ１内にＩＣカード５が抜き取り忘れていないのかを自ら確認することで、ＩＣカード５の抜き取り忘れを防止できるようにしてある。
【００１４】
図２に示すように、ＩＣカードリーダライタ１のシステム構成は、タイマ６、スピーカ７、ＩＣカード検出用センサ８、接続端子部９、ＩＣカード搬送部１０、駆動部１１、警告音発生制御手段１２、記憶部１３、Ｉ/Ｆ回路１４、制御部１５、などが備えられている。
【００１５】
ＩＣカード搬送部１０は、ＩＣカード挿入口４から挿入されたＩＣカード５をＩＣカードリーダライタ１内に搬送する機能を有し、ＩＣカード５を搬送させて、ＩＣカード５の表面に設けられた接続端子部１６と、ＩＣカードリーダライタ１内に備えられた接続端子部９とが接触状態となる位置まで移動させる。
これにより、ＩＣカードリーダライタ１でＩＣカード５からのデータの読み取りや、ＩＣカード５へのデータの書き込みを行える状態となる。
また、ＩＣカード５を用いた所望の処理が終了した後には、ＩＣカード搬送部１０でＩＣカード５を搬送させて、ＩＣカード挿入口４からＩＣカード５を抜き取れる状態まで移動させて排出させる。
また、駆動部１１は、モーターのようにＩＣカード搬送部１０の搬送の動力源である。
【００１６】
ＩＣカード検出用センサ８は、ＩＣカード搬送部１０によりＩＣカードリーダライタ１内に搬送され、データの読み取りや書き込みを行える状態にセットされたＩＣカード５を検知する機能を有する。
また、警告音発生制御手段１２は、ＩＣカード検出用センサ８によりＩＣカードリーダライタ１内にセットされたＩＣカード５を検知した時からの経過時間が、使用者がタイマ６で予め設定した設定時間に到達した際に、スピーカ７から警告音を発生させるように制御する機能を有している。
【００１７】
また、記憶部１３には、制御用プログラムが搭載され、この制御用プログラムに基づいた処理が実行されるように制御されている。
また、Ｉ/Ｆ回路１４は、パソコンなどの外部装置２とＩＣカードリーダライタ１との間における信号の送受信がうまく行えるようにコントロールする。
【００１８】
次に、本発明の実施形態に係るＩＣカードリーダライタの処理手順を、図３に示すフローチャートに基づいて説明する。
まず、使用者は、警告音を発生させたい設定時間をＩＣカードリーダライタ１のタイマ６を操作して定める。（ステップＳ１）
そして、ＩＣカードリーダライタ１のＩＣカード挿入口４からＩＣカード５を挿入して、ＩＣカード５による処理が行える状態にセットする。（ステップＳ２）
ＩＣカードリーダライタ１内にセットされたＩＣカード５は、ＩＣカード検出用センサ８により検出される。（ステップＳ３）
【００１９】
次に、ＩＣカード検出用センサ８によりＩＣカード５が検出されると、タイマ６が稼動して経過時間のカウントを開始する。（ステップＳ４）
そして、タイマ６による経過時間が予め定めた設定時間になった際に、警告音発生制御手段１２によりスピーカ７から警告音を発生させる。（ステップＳ５）
これにより、使用者は、たとえＩＣカードリーダライタ１内にＩＣカード５をセットしていたことを忘れていた場合でも、スピーカから発生された警報音を聞くことで、ＩＣカード５がセットされていたことに気づいてＩＣカード５をＩＣカードリーダライタ１内から間違いなく抜き取れるようにしてある。
【図面の簡単な説明】
【００２０】
【図１】本発明の実施形態に係るＩＣカードリーダライタと外部装置の外観図である。
【図２】本発明の実施形態に係るＩＣカードリーダライタのシステムブロック図である。
【図３】本発明の実施形態に係るＩＣカードリーダライタの処理手順を示すフローチャートである。
【符号の説明】
【００２１】
１  ＩＣカードリーダライタ
２  外部装置
３  接続コード
４  ＩＣカード挿入口
５  ＩＣカード
６  タイマ
７  スピーカ
８  ＩＣカード検出用センサ
９  接続端子部
１０  ＩＣカード搬送部
１１  駆動部
１２  警告音発生制御手段
１３  記憶部
１４  Ｉ/Ｆ回路
１５  制御部
１６  接続端子部
【図１】
2005284615.tif 000003
【図２】
2005284615.tif 000004
【図３】
2005284615.tif 000005